(57)【要約】      （修正有）【課題】使用直前に混合する成分を個別に包装した包装体の提供。【解決手段】包装袋の外周側で接合すると同時に、包装袋の内側でも、接合され、複数の密閉空間が形成されている包装体において、密閉空間の個数は３〜８個であること包装袋の内側で接合されている部分は、包装袋の外周側の接合部より接着力が弱く、弱接合部を形成していること、各密閉空間内には、各々、各種成分が収納されている包装体である。【選択図】図１
0003114719.tif 000002
【実用新案登録請求の範囲】
【請求項１】
包装袋の外周側で接合されると同時に、該包装袋の内側でも、接合され、複数の密閉空間が形成されている包装体において、
密閉空間の個数が３〜８個であること、
該包装袋の内側で接合されている部分は、前記包装袋の外周側の接合部より接着力が弱く、弱接合部を形成していること、
各密閉空間内には、各々、各種成分が収納されていること
を特徴とする包装体。
【請求項２】
請求項１の包装体において、弱接合部は、ホットメルト接着剤を利用した接着により形成されていることを特徴とする包装体。
【請求項３】
請求項１の包装体において、弱接合部は、該弱接合部を構成するフィルムの少なくとも一方がシリコン化合物処理を局部的に施され、接着力が低下した状態にあることを特徴とする包装体。
【請求項４】
請求項１の包装体において、該包装体の開封を容易にするため、開口口を設けたことを特徴とする包装体。
【請求項５】
請求項１の包装体において、
該包装袋を構成する材料として、ポリエステル、ナイロン、ポリオレフィンからなる材料から選ばれたフィルムを使用したことを特徴とする包装体。
【請求項６】
請求項１、２、３、４、５の包装体において、
密閉空間は３個であり、
第１密閉空間内に液体成分を収納し、第２密閉空間内には、前記液体成分に溶解する固体成分を収納し、
第３密閉空間には、前記固体成分を溶解した液体成分を湿潤するためのシート材を収納したことを特徴とする包装体。
【請求項７】
請求項６の包装体において、
該シート材を構成する材料として、有機繊維を使用したワタ、不織布、編織物の何れかであることを特徴とする包装体。
【考案の詳細な説明】
【技術分野】
【０００１】
本考案は、１個の包装袋内に、３〜８個の複数の密閉空間を形成し各密閉空間に、シート材、化粧液、固体成分などを同時に収納した、包装体に関するものである。
【背景技術】
【０００２】
スキンケアに必要な量の化粧液と、シート材を一体包装し、使用に際し、化粧液をシート材に浸透して使用する方式として次の技術がある。
包装袋の内部を仕切り、接合部で、第１密閉空間と、第２密閉空間とに仕切ると共に、
前記包装袋の外周側の接合部より接着力が弱く、且つ前記両密閉空間を区切る弱接合部を設け、
第１密閉空間内に化粧液を、第２密閉空間内に、前記化粧液による湿潤後に化粧部位に当てるためのシート材を収納したシート材の包装体（特許文献１）がある。
この発明では、化粧液とシート材は、弱シート部などにより別々に区分され、一体包装されている。しかし、化粧液とシート材は、使用に際し、握るなどの操作により、弱接合部は、容易に剥離し、一体化する構造となっているため、化粧液をシート材に注入する操作が不要であり、スキンケアを容易に行うことが出来る。
【０００３】
【特許文献１】特開２００４−１８０７号公報
【０００４】
しかしこの発明では、液体成分に固体成分を溶解して溶液を作成後、シート材に該溶液を浸透する場合には、溶解が不均一となりやすく、なお一層の改良が望まれる。
【考案の開示】
【考案が解決しようとする課題】
【０００５】
本考案の目的は、本考案の目的は、３〜８個の密閉空間を形成し、個別に各成分を包装し使用直前に混合可能な包装体の開発である。
【０００６】
本考案者は、密閉空間を３〜８個形成することにより、溶解が不均一となるなどの欠点を除去できることを見出し、本考案に到達したのである。すなわち、
本考案では、包装袋の内部を仕切り、３〜８個の密閉空間を形成する包装体において、
該包装袋の内側で接合されている部分は、前記包装袋の外周側の接合部より弱く形成され、前記密閉空間を区切る弱接合部を形成しており、各密閉空間には、各々、各種成分が収納されていることを特徴とする包装体により目的が達成可能であることを見出し、本考案に到達したのである。
【課題を解決するための手段】
【０００７】
すなわち本考案は、
（１）包装袋の外周側で接合されると同時に、該包装袋の内側でも、接合され、複数の密閉空間が形成されている包装体において、
密閉空間の個数は３〜８であること
該包装袋の内側で接合されている部分は、前記包装袋の外周側の接合部より接着力が弱く、弱接合部を形成していること、
各密閉空間内には、各々、各種成分が収納されていることを特徴とする包装体、
（２）  （１）の包装体において、弱接合部は、ホットメルト接着剤を利用した接着により形成されていることを特徴とする、
（３）  （１）の包装体において、弱接合部は、該弱接合部を構成するフィルムの少なくとも一方がシリコン化合物処理を局部的に施され、接着力が低下した状態にあることを特徴とする、
（４）  （１）の包装体において、該包装体の開封を容易にするため、開口口を設けたことを特徴とする、
（５）  （１）の包装体において、
該包装袋を構成する材料として、ポリエステル、ナイロン、ポリオレフィンからなる材料から選ばれたフィルムを使用したことを特徴とする、
（６）  （１）、（２）、（３）、（４）、（５）の包装体において、
第１密閉空間内に液体成分を収納し、第２密閉空間内には、前記液体成分に溶解する固体成分を収納し、第３密閉空間には、前記固体成分を溶解した液体成分を湿潤するためのシート材を収納したことを特徴とする、
（７）  （６）の包装体において、シート材を構成する材料として、有機繊維を使用したワタ、不織布、編織物の何れかであることを特徴とする
【０００８】
本考案において、包装体とは、シート材、固体成分、液体成分などを収納した包装袋をいう。包装袋とは、主としてフィルムをつなぎ合わせ作成された袋状の物体をいう。包装袋を構成するフィルムとして、ポリエステル、ナイロン、ポリオレフィンからなる材料から選ばれたフィルムをあげることができる。そしてこれらフィルムは、酸化チタンなどによりつや消しされていてもよいし、顔料で着色されていたり、二軸延伸されていてもよい。またポリオレフィン・ナイロン、ポリオレフィン・ホリエステルなど異種材料を貼り合せた構造であってもよい。
【０００９】
本考案で弱接合部形成のため用いるホットメルト接着剤は、加熱したとき液体となり、常温では固体となる性質を有する接着剤であること、包装袋を構成するフィルムを接着する能力はあるが、握るなどの外的力を加えることにより容易に剥離可能であることが必要である。このような目的のため、高重合度のホットメルト接着剤は、接着強度が大きすぎて好ましくなく、好ましい例として、密ロウなどのロウや、低重合度のポリエチレン、低重合度のエチレン・酢酸ビニル共重合体、低重合度のエチレン・アクリル酸エステル重合体等をあげることができる。
【００１０】
本考案において、弱接合部を形成する別の方法は、弱接合部を構成するフィルムの少なくとも一方がシリコン化合物処理を局部的に施されていることである。シリコン化合物処理により接着力が低下した状態にすることが可能となるからである。ここに使用できるシリコン化合物としては、従来公知のシリコン化合物を利用できる。
【００１１】
本考案において、包装袋の外周側など通常の接合部の形成は、包装袋を構成するフィルムを熱接着して行うことができる。包装袋に使用されているフィルムは、熱可塑性の高分子であるポリオレフィン、ナイロン、ポリエステルなどから製造されているので、高周波ミシン、超音波ミシン等を使用して熱溶着して、通常の接合部の形成を行うことができる。
また別法として、本考案において、高重合度のホットメルト接着剤を利用して行うこともできる。
【００１２】
本考案において、密閉空間に収納可能な各種成分としては、シート材、固体成分、液体成分をあげることができる。そして、各密閉空間に収納される各種成分は、各密閉空間ごとに異なっていることが好ましい。
【００１３】
本考案において、シート材は、ワタ、不織布、織物、編物を利用できるが、経済性、性能の点から不織布が好ましい。
本考案において、シート材の形状は、四角であってもよいし、楕円などの形態であってもよい。顔にあてて使用するため、目、鼻の当たる部分をくり抜いていてもよい。また収納を容易にするため、折り畳んだ状態であってもよい。
【００１４】
本考案において、使用される固体成分としては、ビタミンＣ等のビタミン類、タルクなどの無機物、ショ糖などの糖類、クエン酸などの有機酸、植物エキスなどをあげることができる。また本考案において使用される液体成分としては、水、水・エタノール混合液、ごま油などの油脂類、化粧水・クリームなど化粧液、植物エキスなどをあげることができる。
【００１５】
本考案においては、３〜８個の密閉空間を形成する。３個より少なく２個の密閉空間では、混合の際、混合が不均一になる可能性があるからであり、９個より多くなると包装体が複雑となりすぎるからである。
【００１６】
固体成分は、袋に内蔵することもできる。固体成分を袋に内蔵することにより、予め、固体成分を小分けしておくことが可能であり、また固体成分を二重にプラスチックフィルムで包装することになり、より水分、酸素などの影響を避けることが可能となるからである。固体成分内蔵用袋は、ホットメルト接着剤を用いる方法、シリコン化合物を利用する方法により弱接合部を形成していることが好ましい。握るなどの力を加えることにより容易に剥離して、固体成分と液体成分が混合可能であるからである。
【考案を実施するための最良の形態】
【００１７】
図１は、密閉空間は３個で、第１密閉空間４に液体成分７を収納し、第２密閉空間５には、前記液体成分７に溶解する固体成分８を収納し、
第３密閉空間には、前記固体成分８を溶解した液体成分を湿潤するためのシート材９を収納した包装体１の平面図である。
これを作成するには、先ず、２枚のフィルム３を、左右の外周部、及び底辺で加熱して、側面及び底面に接合部１０を形成する。次に弱接合部１１を形成して、第１密閉空間４、第２密閉空間５、第３密閉空間６を作成する。液体成分７を第１密閉空間４に入れ、固体成分８を、第２密閉空間５に収納する。次にシート材９を第３密閉空間６に収納し、上部の接合部１０形成を行い封をして完成する。
【００１８】
使用に際して、第１密閉空間４に外圧をかけると（手で握るなどの方法で）、第一密閉空間４と、第２密閉空間５の間の弱接合部１１が剥離され、液体成分７と固体成分８は混合して、固体成分８は液体成分７に溶解することになる。
次に第一密閉空間４と第２密閉空間５に外圧をかけ、第２密閉空間と第３密閉空間６の間の弱接合部１１を剥離し、固体成分８が溶解している液体成分をシート材９に浸透させる。
次に開口口１４を利用して包装袋を開き、シート材９を取り出し使用する。
【００１９】
図２は、ホットメルト接着剤１２を使用した弱接合部１１の部分断面図である。ホットメルト接着剤１２は、フィルム３と親和性が良好であるので、２枚のフィルム３を接着する。しかし、握るなどの機械的力が加わると、図３に示した様に、２枚のフィルム３は離れることになる。
図４は、包装体外周部分の部分断面図である。フィルム３同士が接合部１０箇所で接着している。  
図５は、シリコン化合物層１３を使用した弱接合部１１の部分断面図である。フィルム３の表面にシリコン化合物層１３が存在すると接着力が弱くなり、剥離しやすくなっている。
【００２０】
以上の説明から明らかなように、本考案の包装体は以下に列記したような実用上優れた効果を有する。
（ａ）固体成分と、液体成分を別々に保存するので、溶液にしたとき安定性が劣る成分に対しても適用できる。
（ｂ）固体成分と、液体成分を別々に保存するので、混合して保存する場合より、一般に保存安定性が向上する。
（ｃ）包装袋を３分割し、まず初めに、液体成分と固体成分を充分混合溶解し、次にシート材に浸透させる方式を採用しているので、液体成分と、固体成分の混合溶解が不十分なことに起因する不均一溶解などの不都合が生ずることはない。
（ｄ）使用の都度、必要な量だけ液体成分・固体成分を含むシートを作成すればよく、手間を省け衛生的である。
（ｅ）本考案のシート材の包装体は、コンパクトであり、携帯性に優れる。
（ｆ）本考案のシート材の包装体は、比較的簡単な構造であるため、経済的にも優れる。
（ｇ）本考案の包装体は、長時間混合した状態におくと経時変化のある化粧品に有用であるが、混合すると保存に好ましくない医薬品、医薬部外品、食品、健康食品の分野にも応用できる。
【図面の簡単な説明】
【００２１】
【図１】３個の密閉空間を有する本考案の包装体の平面図である。
【図２】ホットメルト接着剤を使用した弱接合部の部分断面図である。
【図３】力を加えた後のホットメルト接着剤を使用した弱接合部の部分断面図である。
【図４】包装体外周部分の部分断面図である。
【図５】シリコン化合物を使用した弱接合部の部分断面図である。
【符号の説明】
【００２２】
１    包装体
２    包装袋
３    フィルム
４    第１密閉空間
５    第２密閉空間
６    第３密閉空間
７    液体成分
８    固体成分
９    シート材
１０  接合部
１１  弱接合部  
１２  ホットメルト接着剤
１３  シリコン化合物層
１４  開口口
【図１】
0003114719.tif 000003
【図２】
0003114719.tif 000004
【図３】
0003114719.tif 000005
【図４】
0003114719.tif 000006
【図５】
0003114719.tif 000007